【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
（ａ）第１の厚さをもち、ｚ軸に直交するｙ軸の周方向の第１の角度範囲をもつ円周部と、前記円周部に形成される第１の開口部と、前記第１の角度範囲の両端のｙ軸に平行な部位と、ｙ軸に直交する面に平行な２つの円弧部と、円筒部材がその中心軸を前記第１の開口部の中心軸に一致させて前記円周部に結合される第１の補助円筒体とを具備し、高透磁率材料から構成される第１の円筒型遮蔽体と、
（ｂ）第２の厚さをもち、ｙ軸の周方向の第２の角度範囲をもつ円周部と、前記第２の角度範囲の両端のｙ軸に平行な２つの部位とを具備し、高透磁率材料から構成され、前記第１の円筒型遮蔽体の円周部の内側に配置される第２の円筒型遮蔽体と、
（ｃ）第３の厚さをもち、ｙ軸の周方向の第３の角度範囲をもつ円周部と、前記第３の角度範囲の両端のｙ軸に平行な２つの部位とを具備し、高透磁率材料から構成され、前記第１の円筒型遮蔽体の円周部の外側に配置される第３の円筒型遮蔽体と、
（ｄ）前記第１の円筒型遮蔽体をｙ軸の方向の２箇所で固定して支持する支持体と、
（ｅ）前記第２及び前記第３の円筒型遮蔽体の回転を、前記第１の円筒型遮蔽体の円周部に沿って、ｙ軸の周方向に行う回転部とを有し、一方向の前記回転によりｙ軸の周方向の開口部が形成され、他方向の前記回転によりｙ軸の周方向に形成された閉じた内部空間へ侵入する漏洩磁場が遮蔽されることを特徴とする磁場遮蔽装置。
【請求項２】
（ａ）第１の厚さをもち、ｚ軸に直交するｙ軸の周方向の第１の角度範囲をもつ円周部と、前記円周部に形成される第１の開口部と、前記第１の角度範囲の両端のｙ軸に平行な部位と、ｙ軸に直交する面に平行な２つの円弧部と、円筒部材がその中心軸を前記第１の開口部の中心軸に一致させて前記円周部に結合され、ｚ軸に直交するｘｙ面に平行な面に配列され、検査対象から発する磁場のｚ軸方向の成分を検出するＳＱＵＩＤ磁束計を低温に保持するクライオスタットが、前記円筒部材の内部及び前記第１の開口部を貫通する第１の補助円筒体とを具備し、高透磁率材料から構成される第１の円筒型遮蔽体と、
（ｂ）第２の厚さをもち、ｙ軸の周方向の第２の角度範囲をもつ円周部と、前記第２の角度範囲の両端のｙ軸に平行な２つの部位と、前記２つの部位の少なくとも一方に形成される切欠き部とを具備し、高透磁率材料から構成され、前記第１の円筒型遮蔽体の円周部の内側に配置される第２の円筒型遮蔽体と、
（ｃ）第３の厚さをもち、ｙ軸の周方向の第３の角度範囲をもつ円周部と、前記第３の角度範囲の両端のｙ軸に平行な２つの部位と、前記２つの部位の少なくとも一方に形成される切欠き部とを具備し、高透磁率材料から構成され、前記第１の円筒型遮蔽体の円周部の外側に配置される第３の円筒型遮蔽体と、
（ｄ）前記第１の円筒型遮蔽体をｙ軸の方向の２箇所で固定して支持する支持体と、
（ｅ）前記第２及び前記第３の円筒型遮蔽体の回転を、前記第１の円筒型遮蔽体の円周部に沿って、ｙ軸の周方向に行う回転部とを有し、前記検査対象を挿入する開口部が一方向の前記回転によりｙ軸の周方向に形成され、前記第２及び前記第３の円筒型遮蔽体の前記切欠き部の内側に、前記第１の補助円筒体が配置され、他方向の前記回転によりｙ軸の周方向に形成された閉じた内部空間へ侵入する漏洩磁場が遮蔽されることを特徴とする磁場遮蔽装置。
【請求項３】
請求項１又は請求項２に記載の磁場遮蔽装置に於いて、ｚ軸に直交するｘｙ面に平行な面に配列され、前記内部空間に置かれる検査対象から発する磁場のｚ軸方向の成分を検出するＳＱＵＩＤ磁束計を低温に保持するクライオスタットが、前記円筒部材の内部及び前記第１の開口部を貫通して配置され、前記クライオスタットの底面側の部位の、ｙ軸に平行な方向で対向する部位、及び、一方向の前記回転により形成されたｙ軸の周方向の開口部に面する側の部位に、平面状の切欠き部を有することを特徴とする磁場遮蔽装置。
【請求項４】
請求項１又は請求項２に記載の磁場遮蔽装置に於いて、前記第１の開口部の内直径に等しい内直径をもつ開口部が形成された円周面をもつ鍔状板材を具備し、前記円筒部材と前記鍔状板材とが、前記円筒部材の中心軸と前記鍔状板材の開口部の中心軸とを一致させて結合された鍔付き円筒部材が形成され、前記鍔付き円筒部材に結合された前記鍔状板材の円周面が前記第１の円筒型遮蔽体の円周部に結合されることを特徴とする磁場遮蔽装置。
【請求項５】
請求項１又は請求項２に記載の磁場遮蔽装置に於いて、開口部が形成された円周面をもつ鍔状板材を具備し、前記円筒部材と前記鍔状板材とが、前記円筒部材の中心軸と前記鍔状板材の開口部の中心軸とを一致させて結合された鍔付き円筒部材が形成され、前記第１の開口部の内直径をＤとし、Ｄ１＞Ｄ＞Ｄ２とする時、前記円筒部の外直径がＤ１である第１の鍔付き円筒部材と、前記円筒部の外直径がＤ２である第２の鍔付き円筒部材とが形成され、前記第１の鍔付き円筒部材に結合された鍔状板材の円周面が前記第１の円筒型遮蔽体の円周部の外側面に結合され、前記第２の鍔付き円筒部材に結合された鍔状板材の円周面が前記第１の円筒型遮蔽体の円周部の内側面に結合されることを特徴とする磁場遮蔽装置。
【請求項６】
請求項１又は請求項２に記載の磁場遮蔽装置に於いて、前記第１及び第３の円筒型遮蔽体は、他方向の回転により重なる部分に、電磁遮蔽部材を有することを特徴とする磁場遮蔽装置。
【請求項７】
請求項１又は請求項２に記載の磁場遮蔽装置に於いて、他方向の前記回転によりｙ軸の周方向に閉じた内部空間が形成された時、前記第１及び前記第２の円筒型遮蔽体の、ｙ軸の周方向での、前記第１及び前記第２の円筒型遮蔽体の重なりの長さ、及び、前記第１及び前記第３の円筒型遮蔽体の重なりの長さが、前記第１の円筒型遮蔽体の円周部の内側円周面と前記第２の円筒型遮蔽体の円周部の外側円周面との間隔と、前記第１の円筒型遮蔽体の円周部の外側円周面と前記第３の円筒型遮蔽体の円周部の内側円周面との間隔の大きい方の間隔の１０倍以上であることを特徴とする磁場遮蔽装置。
【請求項８】
請求項１又は請求項２に記載の磁場遮蔽装置に於いて、一方向の前記回転により形成されたｙ軸の周方向の開口部の、ｙ軸の周方向の角度範囲が、角度が９０度〜１１０度の範囲にあることを特徴とする磁場遮蔽装置。
【請求項９】
（Ａ）ｚ軸に直交するｙ軸に平行な方向で対向する開口部と、ｙ軸を中心軸とする円周部と、前記円周部に形成されｚ軸を中心軸とする第１の開口部とを具備し、高透磁率材料から構成される円筒型遮蔽体と、
（Ｂ）ｚ軸に平行な方向で対向する開口部と、ｚ軸を中心軸とする円周部とを具備し、高透磁率材料から構成される補助円筒体と、
（Ｃ）ｚ軸に直交するｘｙ面に平行な面に配列され、検査対象から発する磁場のｚ軸方向の成分を検出するＳＱＵＩＤ磁束計を低温に保持するクライオスタットとを有し、前記補助円筒体の中心軸を前記第１の開口部の中心軸に一致させて、前記補助円筒体が前記円筒型遮蔽体の円周部に結合され、前記補助円筒体の開口部及び前記第１の開口部を貫通して前記クライオスタットが前記円筒型遮蔽体の内部空間に配置され、前記円筒型遮蔽体の内部空間へ侵入する漏洩磁場が遮蔽されることを特徴とする生体磁場計測装置。
【請求項１０】
（Ａ）検査対象から発する磁場のｚ軸方向の成分を検出し、ｚ軸に直交するｘｙ面に平行な面に配列されるＳＱＵＩＤ磁束計を低温に保持するクライオスタットと、
（Ｂ）前記クライオスタットを保持するガントリと、
（Ｃ）円周面に形成される開口部をもつ鍔状板材の前記開口部と円筒部材の各中心軸を一致させて、前記鍔状板材と前記円筒部材とが結合された補助円筒体と、
（Ｄ）ｚ軸に直交するｙ軸に対して第１の角度範囲の円弧部をもち第１の開口部が形成され、前記第１の開口部と前記補助円筒体の前記円筒部材の各中心軸を一致させて、前記補助円筒体が結合された第１の円筒型遮蔽体と、
（Ｅ）ｙ軸に対して第２の角度範囲の円弧部をもつ第２の円筒型遮蔽体と、
（Ｆ）ｙ軸に対して第３の角度範囲の円弧部をもつ第３の円筒型遮蔽体と、
（Ｇ）前記第２及び第３の円筒型遮蔽体が一体化され、ｙ軸に平行な部位に切欠き部もつ回転扉と、
（Ｈ）前記円筒型遮蔽体を両端の前記円弧部で支持する遮蔽体支持体と、
（Ｉ）ｙ軸の周方向で前記第１の円筒型遮蔽体の円周部に沿って前記回転扉を回転させて、ｙ軸の周方向の開口部の開閉を行う回転部とを有し、前記クライオスタットが、前記補助円筒体の開口部及び前記第１の開口部の内部に配置され、前記回転扉の閉時に、前記円筒型遮蔽体の円周部が前記第２の円筒型遮蔽体の円周部と前記第３の円筒型遮蔽体の円周部の間に挿入され、円筒状の内部空間が形成され、前記内部空間に侵入する環境磁場が遮蔽され、前記回転扉の開時にｙ軸の周方向の開口部を通して前記内部空間に搬入された検査対象から発する磁場のｚ方向成分を、前記回転扉の閉時に計測することを特徴とすることを特徴とする生体磁場計測装置。
【請求項１１】
（Ａ）ｚ軸に直交するｙ軸に平行な方向で対向する開口部と、ｙ軸を中心軸とする円周部と、前記円周部に形成されｚ軸を中心軸とする第１の開口部とを具備し、高透磁率材料から構成される円筒型遮蔽体と、
（Ｂ）ｚ軸に直交するｘｙ面に平行な面に配列され、検査対象から発する磁場のｚ軸方向の成分を検出するＳＱＵＩＤ磁束計を低温に保持するクライオスタットと、
（Ｃ）前記クライオスタットの内部の上方に配置され、且つ、前記ＳＱＵＩＤ磁束計の検出コイルの面に平行に配置される第１の超電導閉ループとを有し、前記クライオスタットが前記第１の開口部を貫通して前記円筒型遮蔽体の内部空間に配置され、前記円筒型遮蔽体の内部空間へ侵入する漏洩磁場が遮蔽されることを特徴とする生体磁場計測装置。